(57)【要約】      （修正有）【課題】操作が簡単な窓用補助ロック装置の提供。【解決手段】ロックシート、連動ブロック、制御ブロック、係止ブロック、スライドブロック、固定座等が組み合わされてなり、操作に便利で、制御ブロックのプッシュレバーを押せば連動ブロックが協動し、並びに連動ブロックの円弧形案内面が係止ブロックのガイドブロックを上に移動させ、係止ブロックの上方の係止部がロックシートの第２滑り溝内に縮入し並びに固定座のラチェット歯の係止面の係止より離脱し、これによりロックシートの位置が随意に調整可能となるか或いは不使用時に直接ロックシートを取り出せ、且つロックシート取り出し時の窓枠の横框との衝突或いは引っかかりを防止でき、操作が順調に簡便に行える効果を達成する。【選択図】図１０
0003116254.tif 000002
【実用新案登録請求の範囲】
【請求項１】
窓用補助ロック装置において、該窓用補助ロック装置は、
ロックシートであって、その背面に凸塊が形成され、該凸塊によりスライドブロックと接続され、該凸塊が水平方向の第１溝孔を具え、該第１溝孔に連動ブロックがスライド式に設けられ、並びに別に第１溝孔と垂直で且つ連通する第２溝孔が設けられ、第２溝孔に係止ブロックがスライド式に組み合わされ、このほか第１溝孔の内側に細部が形成され、該細部の側端が比較的広く且つ深さが更に深い第３溝孔と接続され、該第３溝孔にスライド式に制御ブロックが設けられ、このほかロックシートの背面の上方に別に第２溝孔の上端と連通する上溝孔が設けられ、且つ第２溝孔の下方に広部が設けられて垂直方向に第１バネを収容し、更に、該凸塊に別に水平方向の第４溝孔が設けられて第２バネの一側が取り付けられ、且つ第４溝孔が前述の第３溝孔の一側と連通し、第３溝孔が並びに前向きに第５溝孔と連通し、該第５溝孔は直接ロックシートの前端面を貫通し、ロックシートの前端面の両側よりストッパ壁と側壁が突出している、上記ロックシートと、
連動ブロックであって、スライド式にロックシートの第１溝孔に設けられ、円弧形溝を具えて円弧形案内面が形成され、且つ円弧形案内面の一側に位置決めブロックが接続され、該位置決めブロックが制御ブロックの位置決め溝に嵌合された、上記連動ブロックと、  制御ブロックであって、スライド式にロックシートの第３溝孔に設けられ、その前側にロックシートの第５溝孔に伸出するプッシュレバーが設けられ、後側に位置決め溝と小溝孔が設けられ、該小溝孔に第２バネの別の一側が挿入される、上記制御ブロックと、
係止ブロックであって、ロックシートの第２滑り溝にスライド式に設けられ、その上方にロックシートの上溝孔に滑入可能な係止部が設けられ、該係止部がロックシートの凸塊の上端面より伸出可能で、その後側に溝が設けられてガイドブロックが形成され、該ガイドブロックが連動ブロックの円弧形案内面に接触し、係止ブロックの下方に凸片が設けられて第１バネの一側が当接する、上記係止ブロックと、
スライドブロックであって、ロックシートの背面に接続され、且つその上端と下端がいずれもロックシートの凸塊の上端面と下端面より突出して固定座の滑り溝とスライド式に組み合わされる、上記スライドブロックと、
固定座であって、位置決め孔を具え、ネジ部品で窓板の横框の内側に固定され、該固定座が上折り壁と下折り壁を具えて固定座の上、下に滑り溝が形成され、且つ該上折り壁が複数の溝を具えて複数のラチェット歯が形成され、各ラチェット歯が係止面を具えた、上記固定座と、
を包含したことを特徴とする、窓用補助ロック装置。
【請求項２】
請求項１記載の窓用補助ロック装置において、ロックシートのストッパ壁にフレキシブルパッドが接続されたことを特徴とする、窓用補助ロック装置。
【請求項３】
請求項１記載の窓用補助ロック装置において、固定座の上折り壁の各ラチェット歯の係止面とその下端の水平方向が形成する夾角が９０度とされたことを特徴とする、窓用補助ロック装置。
【考案の詳細な説明】
【技術分野】
【０００１】
本考案は窓用補助ロック装置に係り、その不使用時にロックシートを取り出すのに便利で、且つ窓枠下端に衝突しない窓用補助ロック装置に関する。
【背景技術】
【０００２】
周知の窓用補助ロック装置は図１から図５に示されるように、その固定座９１により窓板９３の横框９３１に連結され、ロックシート９２のストッパ壁９２０がもう一つの窓板９４の直框９４１の側面９４１１に当接し、窓戸９４が開けられるのを防止し、且つもう一つの窓板９４と窓枠９０の側辺９０１が形成する間隙９０１１により通風の効果を具えている。しかし、以下のような欠点があることが分かった。
１．ロックシート９２を使用せず取り出す時には、鍵９６を回して開放状態（図５）とし更に鍵９６と一体にスライドさせて固定座９１より取り外さねばならず、窓枠９０の横框９０２とロックシート９２の空間はもともと非常に狭いため、ロックシート９２のロックヘッド９２１の下端９２１１が窓枠９０の横框９０２の上端９０２１より低く、このため固定座９１よりスライドして離脱する時に、窓枠９０の横框９０２に衝突し使用者に問題をもたらす。
２．固定座９１のラチェット歯９１１の係止ブロック９２２の係止効果が低く、ぐらつきやすい。
【０００３】
このような周知の技術の欠点に対して研究改良が行われ、本考案の窓用補助ロック装置が提供されるにいたった。
【考案の開示】
【考案が解決しようとする課題】
【０００４】
本考案の主要な目的は、一種の窓用補助ロック装置を提供することにあり、それは、ただ制御ブロックのプッシュレバーを押せば、連動ブロックが協動し、並びに連動ブロックの円弧形案内面が係止ブロックのガイドブロックを上に移動させ、係止ブロックの上方の係止部がロックシートの第２滑り溝内に縮入し並びに固定座のラチェット歯の係止面の係止より離脱し、これによりロックシートの位置が随意に調整可能となるか或いは不使用時に直接ロックシートを取り出せるものとする。
【０００５】
本考案はまた一種の窓用補助ロック装置を提供することを目的とし、それは、ロックシートの前側にロックヘッド不要で鍵を挿入する必要がなく、即ち片手での操作で制御ブロックのプッシュレバーを押す方式でロックシートを取り出せ、操作が簡単で、且つロックシート取り出し時の窓枠の横框との衝突或いは引っかかりを防止でき、操作が順調に簡便に行える効果を達成できるものとする。
【課題を解決するための手段】
【０００６】
請求項１の考案は、窓用補助ロック装置において、該窓用補助ロック装置は、
ロックシートであって、その背面に凸塊が形成され、該凸塊によりスライドブロックと接続され、該凸塊が水平方向の第１溝孔を具え、該第１溝孔に連動ブロックがスライド式に設けられ、並びに別に第１溝孔と垂直で且つ連通する第２溝孔が設けられ、第２溝孔に係止ブロックがスライド式に組み合わされ、このほか第１溝孔の内側に細部が形成され、該細部の側端が比較的広く且つ深さが更に深い第３溝孔と接続され、該第３溝孔にスライド式に制御ブロックが設けられ、このほかロックシートの背面の上方に別に第２溝孔の上端と連通する上溝孔が設けられ、且つ第２溝孔の下方に広部が設けられて垂直方向に第１バネを収容し、更に、該凸塊に別に水平方向の第４溝孔が設けられて第２バネの一側が取り付けられ、且つ第４溝孔が前述の第３溝孔の一側と連通し、第３溝孔が並びに前向きに第５溝孔と連通し、該第５溝孔は直接ロックシートの前端面を貫通し、ロックシートの前端面の両側よりストッパ壁と側壁が突出している、上記ロックシートと、
連動ブロックであって、スライド式にロックシートの第１溝孔に設けられ、円弧形溝を具えて円弧形案内面が形成され、且つ円弧形案内面の一側に位置決めブロックが接続され、該位置決めブロックが制御ブロックの位置決め溝に嵌合された、上記連動ブロックと、  制御ブロックであって、スライド式にロックシートの第３溝孔に設けられ、その前側にロックシートの第５溝孔に伸出するプッシュレバーが設けられ、後側に位置決め溝と小溝孔が設けられ、該小溝孔に第２バネの別の一側が挿入される、上記制御ブロックと、
係止ブロックであって、ロックシートの第２滑り溝にスライド式に設けられ、その上方にロックシートの上溝孔に滑入可能な係止部が設けられ、該係止部がロックシートの凸塊の上端面より伸出可能で、その後側に溝が設けられてガイドブロックが形成され、該ガイドブロックが連動ブロックの円弧形案内面に接触し、係止ブロックの下方に凸片が設けられて第１バネの一側が当接する、上記係止ブロックと、
スライドブロックであって、ロックシートの背面に接続され、且つその上端と下端がいずれもロックシートの凸塊の上端面と下端面より突出して固定座の滑り溝とスライド式に組み合わされる、上記スライドブロックと、
固定座であって、位置決め孔を具え、ネジ部品で窓板の横框の内側に固定され、該固定座が上折り壁と下折り壁を具えて固定座の上、下に滑り溝が形成され、且つ該上折り壁が複数の溝を具えて複数のラチェット歯が形成され、各ラチェット歯が係止面を具えた、上記固定座と、
を包含したことを特徴とする、窓用補助ロック装置としている。
請求項２の考案は、請求項１記載の窓用補助ロック装置において、ロックシートのストッパ壁にフレキシブルパッドが接続されたことを特徴とする、窓用補助ロック装置としている。
請求項３の考案は、請求項１記載の窓用補助ロック装置において、固定座の上折り壁の各ラチェット歯の係止面とその下端の水平方向が形成する夾角が９０度とされたことを特徴とする、窓用補助ロック装置としている。
【考案の効果】
【０００７】
本考案の窓用補助ロック装置は、ロックシート、連動ブロック、制御ブロック、係止ブロック、スライドブロック、固定座等が組み合わされてなり、操作に便利で、制御ブロックのプッシュレバーを押せば連動ブロックが協動し、並びに連動ブロックの円弧形案内面が係止ブロックのガイドブロックを上に移動させ、係止ブロックの上方の係止部がロックシートの第２滑り溝内に縮入し並びに固定座のラチェット歯の係止面の係止より離脱し、これによりロックシートの位置が随意に調整可能となるか或いは不使用時に直接ロックシートを取り出せ、且つロックシート取り出し時の窓枠の横框との衝突或いは引っかかりを防止でき、操作が順調に簡便に行える効果を達成する。
【考案を実施するための最良の形態】
【０００８】
図６から図１３に示されるように、本考案は一種の窓用補助ロック装置を提供し、それは以下を包含し、即ち、
【０００９】
ロックシート１であって、その背面に凸塊１１が形成され、該凸塊１１によりスライドブロック６（図９参照）と接続され、該凸塊１１が水平方向の第１溝孔１１１（図８）を具え、該第１溝孔１１１に連動ブロック２がスライド式に設けられ、並びに別に第１溝孔１１１と垂直で且つ連通する第２溝孔１１２が設けられ、係止ブロック３がスライド式に組み合わされ、このほか第１溝孔１１１の内側に細部１１１１が形成され、該細部１１１１の側端が比較的広く且つ深さが更に深い第３溝孔１１３と接続され、該第３溝孔１１３にスライド式に制御ブロック４が設けられ、このほかロックシート１の背面の上方に別に第２溝孔１１２の上端と連通する上溝孔１１０が設けられ、且つ第２溝孔１１２の下方に広部１１２１が設けられて垂直方向に第１バネ５１を収容し、更に、該凸塊１１に別に水平方向の第４溝孔１１４が設けられて第２バネ５２の一側５２１が取り付けられ、且つ第４溝孔１１４が前述の第３溝孔１１３の一側と連通し、第３溝孔１１３が並びに前向きに第５溝孔１１５（図６）と連通し、該第５溝孔１１５は直接ロックシート１の前端面１０を貫通し、ロックシート１の前端面１０の両側よりストッパ壁１０１と側壁１０２が突出している、上記ロックシート１と、
連動ブロック２であって、スライド式にロックシート１の第１溝孔１１１に設けられ、円弧形溝２０を具えて円弧形案内面２１が形成され、且つ円弧形案内面２１の一側に位置決めブロック２２が接続され、該位置決めブロック２２が制御ブロック４の位置決め溝４２に嵌合された、上記連動ブロック２と、
制御ブロック４であって、スライド式にロックシート１の第３溝孔１１３に設けられ、その前側にロックシート１の第５溝孔１１５に伸出するプッシュレバー４１が設けられ、後側に位置決め溝４２と小溝孔４３が設けられ、該小溝孔４３に第２バネ５２の別の一側５２２が挿入される、上記制御ブロック４と、
係止ブロック３であって、ロックシート１の第２滑り溝１１２にスライド式に設けられ、その上方にロックシート１の上溝孔１１０に滑り込み可能な係止部３１が設けられ、該係止部３１がロックシート１の凸塊１１の上端面１１６より伸出可能で、その後側に溝３２が設けられてガイドブロック３３が形成され、該ガイドブロック３３が連動ブロック２の円弧形案内面２１に接触し、係止ブロック３の下方に凸片３４が設けられて第１バネ５１の一側５１１が当接する、上記係止ブロック３と、
スライドブロック６であって、ロックシート１の背面に接続され、且つその上端６１と下端６２がいずれもロックシート１の凸塊１１の上端面１１６と下端面１１７より突出して固定座７の滑り溝７０とスライド式に組み合わされる、上記スライドブロック６と、
固定座７であって、位置決め孔７３を具え、ネジ部品７４で窓板８１の横框８１１の内側の所定部分に固定され、該固定座７が上折り壁７１と下折り壁７２を具えて固定座７の上、下に滑り溝７０が形成され、且つ該上折り壁７１が複数の溝７１０を具えて複数のラチェット歯７１１が形成され、各ラチェット歯７１１が係止面７１１１を具えた、上記固定座７と、
を包含する。
【００１０】
前述の部品で構成され、ロックシート１の制御ブロック４のプッシュレバー４１が押圧されてその側壁１０２方向に向けてスライドする時、第２バネ５２を圧縮し、並びに制御ブロック４の位置決め溝４２が連動ブロック２を駆動して水平方向にスライドさせ、連動ブロック２の円弧形案内面２１がこれにより係止ブロック３のガイドブロック３３を上に移動させて係止ブロック３に第２バネ５２を圧縮させ並びに下向きにスライドさせ、これにより係止ブロック３の上方の係止部３１が第２滑り溝１１２（図１３）内に縮入し、これによりロックシート１に接続されたスライドブロック６が固定座７の滑り溝７０内の適当な部分に滑り込み且つ制御ブロック４のプッシュレバー４１に対する押圧が停止された時、該制御ブロック４が第２バネ５２の弾性回復力によりもとの位置に回復し、並びにこれにより連動ブロック２がもとの位置にスライドし、係止ブロック３のガイドブロック３３もまた第１バネ５１の弾性回復力により連動ブロック２の円弧形案内面２１に沿ってもとの位置に戻り、その上方の係止部３１が固定座７のそのうち一つの溝７１０に突出し、該溝７１０に隣接するラチェット歯７１１の係止面７１１１により係止、位置決めされる（図１２）。この時、ロックシート１のストッパ壁１０１は別の開放状態の窓板８２の直框８２１の側面に当接して別の窓板８２が開けられるのを防止する。当然、この開放された別の窓８２と窓枠８０の側端８０２が形成する間隙８０２１（図１１）が空気流通の効果を具備する。同様に、もしロックシート１の固定座７における左右位置を調整するか或いはロックシート１を取り外したい時は、ただロックシート１の制御ブロック４のプッシュレバー４１を押してロックシート１の側壁１０２に向けてスライドさせれば、係止ブロック３の係止部３１が固定座７のラチェット歯７１１の係止面７１１１の係止より離脱し、ロックシート１の調整或いは取り出しが行える（図１０）。
【００１１】
また、前述の固定座７の上折り壁７１の各ラチェット歯７１１の係止面７１１１とその下端７１２の水平方向が形成する夾角は９０度がよい。
更に、前述のロックシート１に接続されたスライドブロック６の一側に凸片６３が設けられ、該凸片６３が吊掛孔６３１を具え、これによりロックシート１がスライドブロック６と連帯して固定座７の滑り溝７０より離脱して取り出される時に、吊掛孔６３１により壁面等に吊掛可能である。
【００１２】
また、前述のロックシート１の凸塊１１とスライドブロック６の接続は凸塊１１に位置決め柱１１８が設けられ、スライドブロック６が相互に対応する穿孔６４を具え、リベッティングにより固定されるが、当然、ロックシート１の凸塊１１とスライドブロック６の相互の間はネジによる固定或いはその他の方式により結合可能である。
【００１３】
総合すると本考案は以下のような効果を有している。
１．操作に便利である：  制御ブロック４のプッシュレバー４１を押すだけで連動ブロック２が駆動され、並びに連動ブロック２の円弧形案内面２１が係止ブロック３のガイドブロック３３を上に移動させ、係止ブロック３の上方の係止部３１がロックシート１の第２滑り溝１１２内に縮入し並びに固定座７のラチェット歯７１１の係止面７１１１による係止より離脱し、これによりロックシート１の位置の随意の調整或いは不使用時のロックシートの直接取り出しが可能となる。
２．ロックシートの前側にロックヘッド不要で、鍵を挿入する必要がない：  即ち本考案は片手で制御ブロック４のプッシュレバー４１を押す方式でロックシート１を取り出せ（例えば親指で側壁１０２を押し人指し指でプッシュレバー４１を押し、プッシュレバー４１を側壁１０２に向けてスライドさせる）、操作が簡単で、且つロックシート１取り出し時に窓枠８０の横框８０１に衝突或いは引っかかる恐れがない。
３．固定座７の上折り壁７１の各ラチェット歯７１１の係止面７１１１とその下端７１２の水平方向が９０度の夾角を形成し、これにより係止ブロック３の係止部３１が安定した係止位置決め効果を形成し、ぐらつきの状況を形成しない。
４．ロックヘッドと鍵の使用が不要で、材料を節約し製造コストを下げることができ、製品の競争力を増すことができる。
【図面の簡単な説明】
【００１４】
【図１】周知の窓用補助ロック装置の使用状態表示図である。
【図２】周知の窓用補助ロック装置のロックシートの立体分解図である。
【図３】周知の窓用補助ロック装置のロックシートの部分部品拡大分解図である。
【図４】周知の窓用補助ロック装置のロックシートの部分部品の拡大図である。
【図５】周知の窓用補助ロック装置のロックシートの部分部品の別の動作の拡大表示図である。
【図６】本考案の実施例のロックシートの固定座との組合せ前の立体図である。
【図７】本考案の実施例のロックシートの固定座との組合せ後の立体図である。
【図８】本考案の実施例のロックシートとその他の部品の背面立体分解図である。
【図９】本考案の実施例のロックシートとスライドブロックの背面立体分解図である。
【図１０】本考案の実施例の使用状態全体外観立体図である。
【図１１】本考案の実施例の使用状態全体外観平面図である。
【図１２】本考案の実施例のロックシートの係止部が固定座のラチェット歯の係止面に係止された状態の拡大図である。
【図１３】本考案の実施例のロックシートの係止部が縮入し、固定座のラチェット歯の係止面に未係止の状態の拡大図である。
【符号の説明】
【００１５】
１  ロックシート
１０  前端面
１０１  ストッパ壁
１０２  側壁
１１  凸塊
１１０  上溝孔
１１１  第１溝孔
１１１１  細部
１１２  第２溝孔
１１２１  広部
１１３  第３溝孔
１１４  第４溝孔
１１５  第５溝孔
１１６  上端面
１１７  下端面
５１  第１バネ
５１１  一側
５２１  一側
５２２  別の一側
２  連動ブロック
２０  円弧形溝
２１  円弧形案内面
２２  位置決めブロック
４  制御ブロック
４１  プッシュレバー
４２  位置決め溝
４３  小溝孔
３  係止ブロック
３１  係止部
３２  溝
３３  ガイドブロック
３４  凸片
６  スライドブロック
６１  上端
６２  下端
７  固定座
７０  滑り溝
７３  位置決め孔
７４  ネジ部品
８０  窓板
８１１  横框
７１  上折り壁
７２  下折り壁
７１１  ラチェット歯
７１１１  係止面
８０２  側端
８０２１  間隙
６３  凸片
６３１  吊掛孔
１１８  位置決め柱
６４  穿孔
【図１】
0003116254.tif 000003
【図２】
0003116254.tif 000004
【図３】
0003116254.tif 000005
【図４】
0003116254.tif 000006
【図５】
0003116254.tif 000007
【図６】
0003116254.tif 000008
【図７】
0003116254.tif 000009
【図８】
0003116254.tif 000010
【図９】
0003116254.tif 000011
【図１０】
0003116254.tif 000012
【図１１】
0003116254.tif 000013
【図１２】
0003116254.tif 000014
【図１３】
0003116254.tif 000015